(57)【要約】【課題】歩行者用信号灯器を経過時間付き歩行者用信号灯器への変更を容易かつ低コストで行うこと。【解決手段】Ｇユニット１０１は、横断報道の歩行者に対して通行許可を青灯色で表示する歩く人型の図柄Ｇと、通行禁止の表示の待ち時間を表示する表示部Ｒ１１１，Ｒ１１２と、表示部Ｒ１１１，Ｒ１１２の表示に使用する信号を受信するコネクタ１０７と、コネクタ１０７で受信する信号に基づいて表示部Ｒ１１１，Ｒ１１２で表示される通行禁止の待ち時時間を制御する内蔵された制御基板１０３と、を備える。【選択図】図５
2019200469.tif 000002
【特許請求の範囲】
【請求項１】
横断歩道の通行許可又は通行禁止を歩行者に表示する歩行者用信号灯器に用いられる経過時間付き歩行者用信号灯器ユニットであって、
前記通行許可及び前記通行禁止の一方を表示する第１表示部と、
他方の表示に使用する信号を受信する第１接続部と、
他方の表示の経過時間を表示する第２表示部と、
前記第１接続部で受信する前記信号に基づいて前記第２表示部で表示される前記他方の表示の経過時間を制御する制御部と、
を備えることを特徴とする経過時間付き歩行者用信号灯器ユニット。
【請求項２】
前記第１表示部は、前記通行許可を表示し、
前記第２表示部は、前記通行禁止の待ち時間を表示する、
ことを特報とする請求項１に記載の歩行者用信号灯器ユニット。
【請求項３】
横断歩道の通行許可を歩行者に表示する経過時間付き第１歩行者用信号灯器ユニット、及び前記横断歩道の通行禁止を歩行者に表示する経過時間付き第２歩行者用信号灯器ユニットを備える経過時間付き歩行者用信号灯器であって、
前記第１歩行者用信号灯器ユニットは、
前記通行許可及び前記通行禁止の一方を表示する第１表示部と、
他方の表示に使用する信号を受信する第１接続部と、
他方の表示の経過時間を表示する第２表示部と、
経過時間を制御する制御部と、
を備え、
前記第２歩行者用信号灯器ユニットは、
前記第１接続部が受信する前記他方の表示に使用する信号を受信する第２接続部と、
前記他方を表示する第３表示部と、
前記一方の表示の経過時間を表示する第４表示部と、
を備え、
前記第１歩行者用信号灯器ユニットは、更に、前記一方の表示に使用する信号を受信する第３接続部を備え、
前記制御部は、前記第１接続部で受信する前記他方を表示する信号に基づいて前記第２表示部で表示される前記他方の表示の経過時間を制御すると共に、前記第３接続部で受信する前記一方を表示する信号に基づいて前記第４表示部で表示される前記一方の表示の経過時間を制御する、
ことを特徴とする経過時間付き歩行者用信号灯器。
【請求項４】
前記第１歩行者用信号灯器ユニットは、前記制御部と接続する第４接続部を備え、
前記制御部は、前記第２歩行者用信号灯器ユニットを介して前記第４接続部で受信する信号に基づいて前記第２表示部で表示される前記他方の表示の経過時間を制御する、
ことを特徴とする請求項３に記載の経過時間付き歩行者用信号灯器。
【発明の詳細な説明】
【技術分野】
【０００１】
本発明は、経過時間付き歩行者用信号灯器ユニット及び経過時間付き歩行者用信号灯器に関する。
【背景技術】
【０００２】
ＬＥＤ表示装置を用いた歩行者用信号灯器が知られている。ＬＥＤ表示装置としては、パネルに一配列のＬＥＤが取り付けられ、１又は２以上のＬＥＤを作動させ、あるいは停止させる技術が知られている（下記特許文献１参照）。
【先行技術文献】
【特許文献】
【０００３】
【特許文献１】特表２０１３−５０４８８０号公報
【発明の概要】
【発明が解決しようとする課題】
【０００４】
歩行者用信号灯器は、一般に２種類の人型の図柄を有し、一方の図柄を青灯色、他方の図柄を赤灯色で表示されるようにＬＥＤランプを用いて構成すると共に、これらを交互に表示することにより横断歩道の通行許可（青信号）又は通行禁止（赤信号）を歩行者に報知する。このように単純に青灯色及び赤灯色を切り替えて表示する歩行者用信号灯器の他に、表示された信号の経過時間を表示することができるものがある。このような経過時間付き歩行者用信号灯器は、経過時間の表示を制御する制御基板等を設ける必要があるため、前述の歩行者用信号灯器とは構成が異なっている。以下、歩行者用信号灯器、及び経過時間付き歩行者用信号灯器の制御構成についてそれぞれ簡単に説明する。
【０００５】
図６は、歩行者用信号灯器１０の制御構成を説明するための図である。歩行者用信号灯器１０は、青灯色を表示するＧユニット１１、赤灯色を表示するＲユニット１２を有しており、これらが灯箱に組み込まれて歩行者用信号灯器１０が構成される。なお、説明の便宜上、Ｇユニット１１、及びＲユニット１２それぞれの表面と裏面とを同一紙面に示している（以下の図７の場合も同様である）。
【０００６】
Ｇユニット１１の表面は横断歩道の通行を許可することを報知する歩く人型の図柄Ｇが設けられ、Ｒユニット１２の表面は横断歩道の通行の禁止を報知する立止まった人型の図柄Ｒが設けられている。これらの裏側の基板に配置された青色、赤色のＬＥＤランプが発光することにより図柄Ｇ及び図柄Ｒがそれぞれ青灯色、赤灯色で表示される。また、Ｇユニット１１及びＲユニット１２の裏面は、それぞれ、コネクタ（Ｇ，Ｃ，Ｅ）１３及びコネクタ（Ｒ，Ｃ，Ｅ）１４が設けられている。さらに、端子台（Ｒ，Ｇ，Ｃ，Ｅ）１８が設けられ、交差点に配置された車両用信号灯器及び歩行者用信号灯器等の全体を制御する図示しない信号制御機と接続され、青色及び赤色の点灯を指示する信号が入力される。歩行者用信号灯器１０を組み立てる際に、端子台１８に圧着端子等で端末処理した電線を接続したケーブル１５のもう一方の端子先のコネクタ１６、１７をそれぞれコネクタ１３，１４に接続することにより、信号制御機からの信号をＧユニット１１及びＲユニット１２に供給することが可能になり、歩行者用信号灯器１０は、設置後に図柄Ｇ及び図柄Ｒを交互に切り替えて表示するようになる。
【０００７】
一方、図７は、経過時間付き歩行者用信号灯器３０の制御構成を説明するための図であり、図８は、経過時間付き歩行者用信号灯器３０での配置の一例を示す図である。経過時間付き歩行者用信号灯器３０は、歩行者用信号灯器１０の構成に、経過時間を表示するための構成が必要になる。
Ｇユニット３１の表面には、歩く人型の図柄Ｇの表示の両側にライン状に複数の矩形状の表示部Ｒ１１，Ｒ１２が設けられており、この表示部Ｒ１１，Ｒ１２が赤灯色で表示されるように構成される。また、Ｒユニット３２の表面には、立ち止まった人型の図柄Ｒの両側にライン状に複数の矩形状の表示部Ｇ１１，Ｇ１２が設けられており、この表示部Ｇ１１，Ｇ１２が青灯色で表示されるように構成される。図柄Ｇが表示されているときに表示部Ｇ１１，Ｇ１２も青灯色で表示され、この表示部Ｇ１１，Ｇ１２がそれぞれ順次消灯していくことにより残り時間を歩行者に報知し、図柄Ｒが表示されているときに表示部Ｒ１１，Ｒ１２も赤灯色で表示され、この表示部Ｒ１１，Ｒ１２がそれぞれ順次消灯していくことにより待ち時間を歩行者に報知する。
【０００８】
経過時間付き歩行者用信号灯器３０には、表示部Ｒ１１，Ｒ１２、表示部Ｇ１１，Ｇ１２の表示を制御するために制御基板４０が追加されている。制御基板４０には、Ｇユニット３１及びＲユニット３２と接続し、表示部Ｇ１１，Ｇ１２及び表示部Ｒ１１，Ｒ１２の表示を開始するための信号が入力する端子台（ＲＸ，ＧＸ，Ｃ，Ｅ）３９が設けられると共に、表示部Ｒ１１，Ｒ１２の表示する信号を出力するコネクタ４１と、表示部Ｇ１１，Ｇ１２の表示する信号を出力するコネクタ４２が設けられている。また、Ｇユニット３１の裏面には、図柄Ｇを点灯させる信号を入力するコネクタ（Ｃ，ＧＸ，Ｅ、Ｇ）３３と、表示部Ｒ１１，Ｒ１２を点灯させる信号を入力するコネクタ４３が設けられており、Ｒユニット３２の裏面には、図柄Ｒを点灯させる信号を入力するコネクタ（Ｃ，ＲＸ，Ｅ，Ｒ）３４と、表示部Ｇ１１，Ｇ１２を点灯させる信号を入力するコネクタ４４が設けられている。信号制御機と接続され、青色及び赤色の点灯を指示する信号が入力される端子台数は、既述の歩行者用信号灯器１０の端子台１８の端子台数は４つであるのに対して、経過時間付き歩行者用信号灯器３０の端子台３６の端子台数は６つであり、端子台数が異なっている。これは、信号制御機からの表示信号を図柄Ｇ又は図柄Ｒで受けてから表示部Ｇ１１，Ｇ１２又は表示部Ｒ１１，Ｒ１２に表示信号を供給して、図柄Ｇが点灯していないときは、必ず表示部Ｇ１１，Ｇ１２を点灯させないためと、図柄Ｒが点灯していないときは、必ず表示部Ｒ１１，Ｒ１２を点灯させないためである。具体的には、表示部Ｇ１１，Ｇ１２及び表示部Ｒ１１，Ｒ１２を点灯制御する制御基板４０に表示信号を供給するために、図柄Ｇを点灯させるＧユニット３１のコネクタ３３のＧからの入力信号により図柄Ｇが点灯した後、コネクタ３３のＧＸ（ケーブル３５のコネクタ３７のＧＸ）から表示信号が出力され端子台３６のＧＸ端子台を経由して制御基板４０の端子台３９のＧＸ端子台に表示信号を供給すると共に、図柄Ｒを点灯させるＲユニット３２のコネクタ３４のＲからの入力信号により図柄Ｒが点灯した後、コネクタ３４のＲＸ（ケーブル３５のコネクタ３８のＲＸ）から表示信号が出力され端子台３６のＲＸ端子台を経由して制御基板４０の端子台３９のＲＸ端子台に表示信号を供給する。なお、端子台３６のＧＸ端子台及び端子台３６のＲＸ端子台を経由するのは、製造上の問題でケーブル３５を容易に製作するためである。
【０００９】
経過時間付き歩行者用信号灯器３０を組み立てる際に、ケーブル３５の端子先を端子台３６及び端子台３９に接続し、コネクタ３７，３８をそれぞれコネクタ３３，３４に接続することにより、信号制御機からの信号をＧユニット３１、Ｒユニット３２、及び制御基板４０に表示信号として供給する。また、ケーブル４５のコネクタ４６，４７をそれぞれＧユニット３１のコネクタ４３，制御基板４０のコネクタ４１に、ケーブル４８のコネクタ４９，５０をそれぞれＲユニット３２のコネクタ４４，制御基板４０のコネクタ４２に接続することにより、表示部Ｇ１１，Ｇ１２又は表示部Ｒ１１，Ｒ１２の点灯信号を供給する。これにより、経過時間付き歩行者用信号灯器３０は、設置後に図柄Ｇ及び図柄Ｒを交互に切り替えて表示すると共に、経過時間（待ち時間は表示部Ｒ１１，Ｒ１２又は残り時間は表示部Ｇ１１，Ｇ１２）を表示できるようになる。
【００１０】
このように歩行者用信号灯器１０と、経過時間付き歩行者用信号灯器３０とは灯箱に設けられる端子台の端子台数やケーブルの接続先の構成が異なっている。このため、歩行者用信号灯器１０を経過時間付き歩行者用信号灯器３０に変更する場合、端子台１８を端子台３６に取り換えると共に、灯箱の中に制御基板４０を追加するための加工をしたうえで、歩行者用信号灯器ユニットをそれぞれ交換する必要があった。また、この際、経過時間付き歩行者用信号灯器３０用のケーブル３５を用いる必要があった。したがって、歩行者用信号灯器１０を経過時間付き歩行者用信号灯器３０に変更する場合、手間とコストが非常にかかっていた。仮に、歩行者用信号灯器１０を経過時間付き歩行者用信号灯器３０にまるごと取り換えるとすると、コストはさらに上昇する。
【００１１】
本発明は、上記事情に鑑みてなされたものであり、歩行者用信号灯器の経過時間付き歩行者用信号灯器への変更を容易かつ低コストで行うことができる経過時間付き歩行者用信号灯器ユニット、及び経過時間付き歩行者用信号灯器を提供することを目的とする。
【課題を解決するための手段】
【００１２】
本発明は、横断歩道の通行許可又は通行禁止を歩行者に表示する歩行者用信号灯器に用いられる経過時間付き歩行者用信号灯器ユニットであって、前記通行許可及び前記通行禁止の一方を表示する第１表示部と、他方の表示に使用する信号を受信する第１接続部と、他方の表示の経過時間を表示する第２表示部と、前記第１接続部で受信する前記信号に基づいて前記第２表示部で表示される前記他方の表示の経過時間を制御する制御部とを備えることを特徴とする。
【００１３】
このように構成された経過時間付き歩行者用信号灯器ユニットによると、従来の経過時間付き歩行者用信号灯器のように、歩行者用信号灯器そのものを取り換える必要がなく、経過時間を表示する構成と、歩行者用信号灯器ユニットとを一体化することができるため、従来の歩行者用信号灯器の灯箱、端子台及びケーブル等を流用し、従来の歩行者用信号灯器ユニットを、本発明の経過時間付き歩行者用信号灯器ユニットに入れ替えることで、従来の歩行者用信号灯器を、入れ替えた歩行者用信号灯器ユニットについては経過時間表示機能を付けた歩行者用信号灯器に変更することができる。したがって、歩行者用信号灯器から経過時間付き歩行者用信号灯器への変更を容易かつ低コストで行うことができる。
【００１４】
また、前記第１表示部は、前記通行許可を表示し、前記第２表示部は、前記通行禁止の待ち時間を表示するようにしてもよい。一般に、通行禁止のときにどれくらい待てば通行許可に変わるのかを知りたいという要望は、通行許可のときに残りどれくらいで通行禁止に変わるかを知りたいという要望より大きい。上記構成によると、経過時間として待ち時間の機能のみを歩行者用信号灯器に設けることができるため、このようなニーズを満たすことができ、他方の歩行者用信号灯器ユニットには残り時間機能を備えなくてもよく、コストを下げることができる。
【００１５】
他の本発明は、横断歩道の通行許可を歩行者に表示する経過時間付き第１歩行者用信号灯器ユニット、及び前記横断歩道の通行禁止を歩行者に表示する経過時間付き第２歩行者用信号灯器ユニットを備える経過時間付き歩行者用信号灯器であって、前記第１歩行者用信号灯器ユニットは、前記通行許可及び前記通行禁止の一方を表示する第１表示部と、他方の表示に使用する信号を受信する第１接続部と、他方の表示の経過時間を表示する第２表示部と、経過時間を制御する制御部と、を備え、前記第２歩行者用信号灯器ユニットは、前記第１接続部が受信する前記他方の表示に使用する信号を受信する第２接続部と、前記他方を表示する第３表示部と、前記一方の表示の経過時間を表示する第４表示部と、を備え、前記第１歩行者用信号灯器ユニットは、更に、前記一方の表示に使用する信号を受信する第３接続部を備え、前記制御部は、前記第１接続部で受信する前記他方を表示する信号に基づいて前記第２表示部で表示される前記他方の表示の経過時間を制御すると共に、前記第３接続部で受信する前記一方を表示する信号に基づいて前記第４表示部で表示される前記一方の表示の経過時間を制御することを特徴とする。
【００１６】
このように構成すると、従来の経過時間付き歩行者用信号灯器のように、歩行者用信号灯器そのものを取り換える必要がなく、経過時間を表示する構成と、歩行者用信号灯器ユニットとを一体化することができるため、従来の歩行者用信号灯器の灯箱、端子台及びケーブル等を流用し、従来の歩行者用信号灯器ユニットを、本発明の経過時間付き歩行者用信号灯器ユニットのセットに入れ替えることで、従来の歩行者用信号灯器を、経過時間表示機能を付けた歩行者用信号灯器に変更することができる。したがって、歩行者用信号灯器から経過時間付き歩行者用信号灯器への変更を容易かつ低コストで行うことができる。
【００１７】
また、前記第１歩行者用信号灯器ユニットは、前記制御部と接続する第４接続部を備え、前記制御部は、前記第２接続部が受信する前記信号を、前記第２歩行者用信号灯器ユニットを介して前記第４接続部で受信する信号に基づいて前記第２表示部で表示される前記他方の表示の経過時間を制御するようにしてもよい。このように構成すると、通行禁止又は通行許可の表示に連動して経過時間を表示することができ、従来の経過時間付き歩行者用信号灯器の機能を備えることができる。
【発明の効果】
【００１８】
本発明によれば、歩行者用信号灯器の経過時間付き歩行者用信号灯器への変更を容易かつ低コストで行うことができる経過時間付き歩行者用信号灯器ユニット、及び経過時間付き歩行者用信号灯器を提供することができる。
【図面の簡単な説明】
【００１９】
【図１】本発明の第１の実施形態に係る歩行者用信号灯器の正面図の一例を示す図。
【図２】同実施形態に係る歩行者用信号灯器の扉を開いた状態の一例を示す図。
【図３】同実施形態に係る歩行者用信号灯器の制御構成の一例を説明するための図。
【図４】同実施形態に係る歩行者用信号灯器Ｇユニットに内蔵された制御基板等の制御構成の一例を説明するためのブロック図。
【図５】本発明の第２の実施形態に係る歩行者用信号灯器の制御構成の一例を説明するための図。
【図６】従来技術の歩行者用信号灯器の制御構成を説明するための図。
【図７】従来技術の経過時間付き歩行者用信号灯器の制御構成を説明するための図。
【図８】従来技術における経過時間付き歩行者用信号灯器での配置の一例を示す図。
【発明を実施するための形態】
【００２０】
以下、本発明の各実施の形態について図面を参照しながら説明する。なお、図面は、説明をより明確にするため、実際の態様に比べて、各部の幅、厚さ、形状等について模式的に表示している。
【００２１】
（第１の実施形態）
図１は、経過時間付き歩行者用信号灯器（以下、「歩行者用信号灯器）という。）１００の正面図の一例である。歩行者用信号灯器１００は、例えば、横断歩道の横断方向の両端近傍に立設される柱の所定の高さに、横断歩道を通行する歩行者に表示面を向けて設置される。図１に示すように、歩行者用信号灯器１００は、歩行者用信号灯器ユニットであるＧユニット（第１歩行者用信号灯器ユニット）１０１、及びＲユニット（第２歩行者用信号灯器ユニット）３２を備えている。ここで、Ｒユニット３２は、従来技術の経過時間付き歩行者用信号灯器３０のＲユニット３２と同一である。
【００２２】
Ｇユニット１０１は、横断歩道の通行許可を表示するものであり、歩く人型の図柄Ｇ（第１表示部）が設けられている。この図柄Ｇの裏側に配置される複数の青色のＬＥＤランプが発光することにより、Ｇユニット１０１は、歩く人型の図柄Ｇを青灯色で表示する。Ｇユニット１０１の歩く人型の図柄Ｇの両側には、図示縦方向にライン状に構成される８個の矩形状の図柄をそれぞれ含む表示部（第２表示部）Ｒ１１１，Ｒ１１２が設けられている。表示部Ｒ１１１，Ｒ１１２の８個の矩形状の図柄は、図示横方向にそれぞれ同じ位置に配置されると共に、図示縦方向に等間隔となるように配置されている。この表示部Ｒ１１１，Ｒ１１２の裏側に配置される複数の赤色のＬＥＤランプが発光することにより、Ｇユニット１０１は、通行禁止の待ち時間（経過時間）を赤灯色で表示する。
【００２３】
一方、Ｒユニット３２は、横断歩道の通行禁止を表示するものであり、立ち止まった人型の図柄Ｒ（第３表示部）が設けられている。この図柄Ｒの裏側に配置される複数の赤色のＬＥＤランプが発光することにより、Ｒユニット３２は、立ち止まった人型の図柄Ｒを赤灯色で表示する。Ｒユニット３２の立ち止まった人型の図柄Ｒの両側には、図示縦方向にライン状に構成される８個の矩形状の図柄をそれぞれ含む表示部（第４表示部）Ｇ１１，Ｇ１２が設けられている。表示部Ｇ１１，Ｇ１２の８個の矩形状の図柄は、図示横方向にそれぞれ同じ位置に配置されると共に、図示縦方向に等間隔となるように配置されている。この表示部Ｇ１１，Ｇ１２の裏側に配置される複数の青色のＬＥＤランプが発光することにより、Ｒユニット３２は、通行できる残り時間（経過時間）を青灯色で表示する。
【００２４】
このように構成された歩行者用信号灯器１００では、Ｒユニット３２の立ち止まった人型の図柄Ｒが赤灯色（通行禁止）で表示されると共に、Ｇユニット１０１の表示部Ｒ１１１，Ｒ１１２の全ての矩形状の図柄が赤灯色で表示される。このため歩行者は、横断歩道の通行禁止を視認することができる。
【００２５】
そして、時間の経過に従って、表示部Ｒ１１１，Ｒ１１２のそれぞれの上側から矩形状の図柄が順次１つずつ消灯されていく。このため歩行者は、横断歩道の通行禁止の待ち時間を視認することができる。表示部Ｒ１１１，Ｒ１１２のそれぞれ一番下の矩形状の図柄が消灯したタイミングで、Ｒユニット１０２の立ち止まった人型の図柄Ｒが消灯し、Ｇユニット１０１の歩く人型の図柄Ｇが青灯色（通行許可）で表示されると共に、Ｒユニット３２の表示部Ｇ１１，Ｇ１２の全ての矩形状の図柄が青灯色で表示される。このため歩行者は、横断歩道の通行許可を視認することができる。
【００２６】
そして、時間の経過に従って、表示部Ｇ１１，Ｇ１２のそれぞれの上側から矩形状の表示が順次１つずつ消灯されていく。このため歩行者は、横断歩道の通行許可の残り時間を視認することができる。表示部Ｇ１１，Ｇ１２のそれぞれ一番下の矩形状の表示が消灯したタイミングで、Ｇユニット１０１の歩く人型の図柄Ｇが点滅し、通行許可時間が終わることを示した後、Ｇユニット１０１の歩く人型の図柄Ｇが消灯し、Ｒユニット３２の立止まった人型の図柄Ｒが赤灯色（通行禁止）で表示されると共に、Ｇユニット１０１の表示部Ｒ１１１，Ｒ１１２の全ての矩形状の図柄が赤灯色で表示される。このように歩行者用信号灯器１００は、歩行者に対して、通行許可及び残り時間、並びに通行禁止及び待ち時間を表示する。
【００２７】
図２は、歩行者用信号灯器１００の扉を開いた状態の一例を示す図である。  
灯箱１５０から扉１５１を開いており、扉１５１にはＧユニット１０１，Ｒユニット３２が嵌め込まれている。Ｇユニット１０１、Ｒユニット３２の裏面が示されており、Ｇユニット１０１、Ｒユニット３２にはそれぞれ扉１５１から取り外すための把持部１０１ａ，１０２ａが設けられている。さらに、Ｇユニット１０１には、端子台１０５（第４接続部），コネクタ１０４，１０６（第３接続部），１０７（第１接続部）が設けられ、制御基板（制御部）１０３が内蔵されている。また、Ｒユニット３２にはコネクタ３４（第２接続部），４４が設けられている。一方、灯箱１５０には、交差点の信号機を設置する電柱の下部に設置され、交差点に配置された車両用信号灯器及び歩行者用信号灯器等を制御する図示しない信号制御機と接続して、信号制御機から青色及び赤色の点灯を指示する表示信号を受信する端子台１８が設けられている。
【００２８】
図３は、歩行者用信号灯器１００の制御構成の一例を説明するための図である。  
図３に示すように、歩行者用信号灯器１００は、Ｇユニット１０１、Ｒユニット３２、ケーブル１５、ケーブル１１１及びケーブル１１４を有している。なお、説明の便宜上、Ｇユニット１０１、及びＲユニット３２それぞれの表面と裏面とを同一紙面に示している。また、Ｇユニット１０１には、表示部Ｒ１１１，Ｒ１１２、及び表示部Ｇ１１，Ｇ１２の表示を制御する制御基板１０３が内蔵されている。
【００２９】
Ｇユニット１０１の裏面に設けられるコネクタ（Ｇ，Ｃ，Ｅ）１０６は、ケーブル１５のコネクタ１６と嵌合して、ケーブル１５の電線の接続先である端子台１８に接続し、信号制御機からの青灯色の表示信号である表示信号Ｇを受信し、コネクタ（Ｒ，Ｃ，Ｅ）１０７は、ケーブル１５のコネクタ１７と嵌合してケーブル１５の電線の接続先である端子台１８に接続し、信号制御機からの赤灯色の表示信号である表示信号Ｒを受信する。Ｒユニット３２の裏面に設けられるコネクタ（Ｒ，Ｃ，Ｅ，ＲＸ）３４は、ケーブル１１４のコネクタ１１５と嵌合して、ケーブル１１４の電線の接続先である端子台１０５に接続し、図柄Ｒを赤灯色で表示する表示信号Ｒを端子台１０５から受信し、Ｇユニットの表示部Ｒ１１１，Ｒ１１２の赤灯色の表示信号である表示信号ＲＸを端子台１０５へ出力する。Ｒユニット３２の裏面に設けられるコネクタ４４は、ケーブル１１１のコネクタ１１３と嵌合して、ケーブル１１１のコネクタ１１２の接続先であるコネクタ１０４に接続し、表示部Ｇ１１，Ｇ１２の青色ＬＥＤが点灯する点灯信号を受信する。なお、各コネクタ及び端子台の記号は、Ｒは赤灯色の表示信号Ｒ、Ｇは青灯色の表示信号Ｇ、Ｃはコモンであり、Ｅはアースを示している。また、ＲＸは、表示部Ｒ１１１，Ｒ１１２のＬＥＤランプの点灯を開始させる信号で、Ｒユニット３２の図柄Ｒの裏側の赤色ＬＥＤランプが配置された基板に表示信号Ｒが入力され、赤色ＬＥＤランプを点灯させるとともに出力される信号の表示信号ＲＸである。さらに、ＧＸは表示部Ｇ１１，Ｇ１２のＬＥＤランプの点灯を開始させる信号で、Ｇユニット１０１の図柄Ｇの裏側の青色ＬＥＤランプが配置された基板に表示信号Ｇが入力され、青色ＬＥＤランプを点灯させるとともに出力される信号の表示信号ＧＸである。これは、図柄Ｇが点灯していないときは、必ず表示部Ｇ１１，Ｇ１２を点灯させないためと、図柄Ｒが点灯していないときは、必ず表示部Ｒ１１，Ｒ１２を点灯させないための処置である。
【００３０】
図４は、歩行者用信号灯器１００のＧユニット１０１に内蔵された制御基板１０３等の制御構成の一例を説明するためのブロック図である。
図４に示すように、制御基板１０３は、表示部Ｇ１１、Ｇ１２を表示する表示信号ＧＸを検知するＧ表示検知部１３１、表示部Ｒ１１１、Ｒ１１２を表示する表示信号ＲＸを検知するＲ表示検知部１３２、ＣＰＵ等の演算装置やＲＡＭ，ＲＯＭ等の記憶装置を有し、表示部Ｒ１１１，Ｒ１１２及び表示部Ｇ１１，Ｇ１２の点灯制御を行う制御部１３３、赤灯色の表示信号ＲＸ又は青灯色の表示信号ＧＸの交流１００Ｖの信号を直流＋３．３Ｖ、＋５Ｖ、＋１２Ｖ等に変換して、制御基板１０３に配置された電子部品等を動作させる電源や、表示部Ｇ１１、Ｇ１２及び表示部Ｒ１１１、Ｒ１１２のＬＥＤランプが点灯するための電源を供給する電源部１３４を有している。また、Ｇユニット１０１の図柄Ｇ及び矩形状の図柄の裏側に配置されたＬＥＤ基板１２０は、図柄Ｇの青色ＬＥＤランプを配置した図柄Ｇ部１２１と、表示部Ｒ１１１、Ｒ１１２の赤色ＬＥＤランプを配置した表示Ｒ部１２２を有する。
【００３１】
また、制御部１３３は、表示信号ＧＸを基に前５回分の青灯色で表示した時間、及び表示信号ＲＸを基に前５回分の赤灯色で表示した時間を記憶し、その記憶した５回分の平均時間を算出し、さらに、算出した平均時間を８分割する。この８分割した時間毎に、表示部Ｒ１１１，Ｒ１１２又は表示部Ｇ１１，Ｇ１２の矩形状の図柄の表示を順次消灯する。以上により、制御部１１３は、表示部Ｒ１１１，Ｒ１１２、表示部Ｇ１１，Ｇ１２の各矩形状の図柄の表示／消灯を制御する。
【００３２】
コネクタ１０６から青灯色の表示信号Ｇを受信した場合は、ＬＥＤ基板１２０の図柄Ｇ部１２１に入力され図柄Ｇの青色ＬＥＤランプが点灯するとともに、表示信号ＧＸを制御基板１０３に出力する。次に、表示信号ＧＸが制御基板１０３のＧ表示検知部１３１に入力され表示信号ＧＸを検知すると、制御部１３３は表示部Ｇ１１、Ｇ１２の点灯／消灯の制御を開始して、表示信号をコネクタ１０４に表示部Ｇ１１及び表示部Ｇ１２の各８箇所を点灯させる点灯信号Ｄ１からＤ８を出力する。また、表示信号ＧＸは電源部１３４に入力され制御基板１０３内に電源を供給するとともに表示部Ｇ１１、Ｇ１２の青色のＬＥＤランプの電源である電源ＶＧをコネクタ１０４に出力する。
【００３３】
コネクタ１０４から出力された点灯信号Ｄ１からＤ８及び電源ＶＧは、コネクタ１０４と嵌合するケーブル１１１のコネクタ１１２からコネクタ１１３と嵌合するコネクタ４４を介してＲユニット３２に入力する。コネクタ４４は、表示部Ｇ１１の８個の矩形状の図柄を表示する青色のＬＥＤランプそれぞれと、また、表示部Ｇ１２の８個の矩形状の図柄を表示する青色のＬＥＤランプそれぞれと接続されている（図示省略）。表示部Ｇ１１，Ｇ１２の８個の矩形状の図柄の一番下に位置する矩形状の図柄に点灯信号Ｄ１が接続され、その上の矩形状の図柄に点灯信号Ｄ２が接続され、順次接続されて一番上の矩形状の図柄に点灯信号Ｄ８が接続されている。そして、制御基板１０３の制御部１３３から点灯信号Ｄ１からＤ８が入力されると電源ＶＧで供給される電源により青色ＬＥＤランプが全点灯して矩形状の図柄の表示が開始され、時間の経過とともに制御部１３３からの点灯信号を点灯信号Ｄ８から順次出力を止めると、青色ＬＥＤランプが上から順次消灯する。
【００３４】
次に、コネクタ１０７の表示信号のＲ、コモンのＣ及びアースのＥは、Ｇユニット１０
１の内部で端子台１０５のＲ端子台、Ｃ端子台及びＥ端子台とそれぞれ接続され、コネクタ１０７から赤灯色の表示信号Ｒを受信した場合は、端子台１０５に出力し、端子台１０５へ出力するとケーブル１１４によりコネクタ１１５と嵌合するＲユニット３２のコネクタ３４に表示信号Ｒが入力される。表示信号ＲがＲユニット３２に入力すると図柄Ｒの赤色ＬＥＤランプが点灯するとともに、表示信号ＲＸがコネクタ３４に出力され、表示信号ＲＸはケーブル１１４のコネクタ１１５からケーブル１１４の接続先の端子台１０５に入力される。そして、表示信号ＲＸは端子台１０５から制御基板１０３のＲ表示検知部１３２及び電源部１３４に入力される。表示信号ＲＸが制御基板１０３のＲ表示検知部１３２に入力され表示信号ＲＸを検知すると、制御部１３３は表示部Ｒ１１１、Ｒ１１２の点灯／消灯の制御を開始して、表示部Ｒ１１１及び表示部Ｒ１１２の各８箇所を点灯させる点灯信号ＲＤ１からＲＤ８をＬＥＤ基板１２０の表示Ｒ部１２２に出力する。また、表示信号ＲＸは電源部１３４に入力され制御基板１０３内に電源を供給するとともに表示部Ｒ１１１、Ｒ１１２の赤色のＬＥＤランプの電源である電源ＶＲを表示Ｒ部１２２に出力する。
【００３５】
表示Ｒ部１２２に点灯信号が入力されると、表示Ｒ部１２２に配置された表示部Ｒ１１１の８個の矩形状の図柄を表示する赤色のＬＥＤランプとそれぞれと、さらに、表示部Ｒ１１２の８個の矩形状の図柄を表示する赤色のＬＥＤランプそれぞれと接続されている（図示省略）。表示部Ｒ１１１，Ｒ１１２の８個の矩形状の図柄の一番下に位置する矩形状の図柄に点灯信号ＲＤ１が接続され、その上の矩形状の図柄に点灯信号ＲＤ２が接続され、順次接続されて一番上の矩形状の図柄に点灯信号ＲＤ８が接続されている。そして、制御基板１０３の制御部１３３から点灯信号ＲＤ１からＲＤ８が入力されると電源ＶＲで供給される電源により赤色ＬＥＤランプが全点灯して矩形状の図柄の表示が開始され、時間の経過とともに制御部１３３からの点灯信号を点灯信号ＲＤ８から順次出力を止めると、赤色ＬＥＤランプが上から順次消灯する。
【００３６】
ケーブル１５のコネクタ１６，１７をそれぞれ、Ｇユニット１０１のコネクタ１０６，１０７に嵌合させて灯箱１５０の端子台１８に接続することにより、信号制御機からの表示信号をＧユニット１０１に青灯色の表示信号Ｇ、及び赤灯色の表示信号Ｒを供給することができる。また、Ｇユニット１０１の内部でコネクタ１０７のＲと端子台１０５のＲ端子台が接続され、Ｇユニット１０１に供給される赤灯色の表示信号Ｒは、コネクタ１０７及び端子台１０５を介して、さらに端子台１０５に接続したケーブル１１４によりケーブル１１４のコネクタ１１５を介して、Ｒユニット３２のコネクタ３４に供給される。このように構成されることにより、歩行者用信号灯器１００は、歩く人型の図柄Ｇ及び立ち止まった人型の図柄Ｒの表示を制御すると共に、立ち止まった人型の図柄Ｒを表示しているときは表示部Ｒ１１１，Ｒ１１２を制御して待ち時間を表示し、歩く人型の図柄Ｇを表示しているときは表示部Ｇ１１，Ｇ１２を制御して残り時間を表示することができる。
【００３７】
以上のように構成された歩行者用信号灯器１００においては、Ｇユニット１０１が歩く人型の図柄Ｇと、コネクタ１０６と、コネクタ１０７と、矩形状の図柄を表示する表示部Ｒ１１１，Ｒ１１２と、端子台１０５と、コネクタ１０４と、さらに内蔵された制御基板１０３とを備え、Ｒユニット３２がコネクタ３４と、立ち止まった人型の図柄Ｒと、矩形状の図柄を表示する表示部Ｇ１１，Ｇ１２と、コネクタ４４を備え、さらにＧユニット１０１とＲユニット３２の各信号をやり取りするためのケーブル１１１と、ケーブル１１４を備えている。
【００３８】
このため、従来の歩行者用信号灯器（参照：図６）１０から経過時間付き歩行者用信号灯器への変更を容易かつ低コストで行うことができる。より詳細には、従来の経過時間付き歩行者用信号灯器（参照：図７）３０のように、歩行者用信号灯器１０そのものを取り換える必要がなく、Ｇユニット１０１が経過時間を表示する構成と歩行者用信号灯器ユニットとを一体化しているため、従来の歩行者用信号灯器１０の灯箱、端子台１８及びケーブル１５等を流用し、Ｇユニット１１，Ｒユニット１２のセットをそれぞれ、Ｇユニット１０１，Ｒユニット３２のセットに入れ替えるだけで、従来の歩行者用信号灯器１０を本実施形態の経過時間表示機能を付けた歩行者用信号灯器１００に変更することができる。
【００３９】
また、従来の経過時間付き歩行者用信号灯器（参照：図７）３０において、Ｇユニット３１をＧユニット１０１に交換することにより制御基板４０の取り付け作業をなくすことができるため製造時間、製造コストの上昇を抑えることができる。
【００４０】
なお、上記実施の形態では、制御基板１０３をＧユニット１０１に内蔵して設ける構成で説明しているが、これに限るものではない。制御基板１０３をＧユニット１０１の裏面に取り付けてもよい。その場合は、ＬＥＤ基板１２０へ直接配線してもよいし、コネクタを介して接続してもよい。また、制御基板１０３をＲユニット３２に設け、端子台１８からの青灯色、赤灯色の表示信号をＲユニット３２で受信するように構成し、Ｒユニット３２からＧユニット１０１の図柄Ｇを表示する表示信号Ｇ及び待ち時間を表示する表示部Ｒ１１１，Ｒ１１２の表示を制御して点灯信号を出力するようにしてもよい。
【００４１】
（第２の実施形態）
第２の実施形態は、通行許可を表示するＧユニットにのみ経過時間（待ち時間）の表示部が設けられている点が第１の実施形態と異なっている。なお、第１の実施形態と同一の構成には同一の符号を付し、これらの構成については詳細な説明は省略する。
【００４２】
図５は、経過時間付き歩行者用信号灯器（以下、「歩行者用信号灯器」という。）２００の制御構成の一例を説明するための図である。  
図５に示すように、歩行者用信号灯器２００は、経過時間付き歩行者用信号灯器ユニットであるＧユニット１０１、Ｒユニット１２、及び灯箱１５０（図５では図示省略）を有している。なお、説明の便宜上、Ｇユニット１０１、及びＲユニット１２それぞれの表面と裏面とを同一紙面に示しているのは、第１の実施形態と同様である。ここで、Ｇユニット１０１及びケーブル１１４は、第１の実施形態の歩行者用信号灯器１００のＧユニット１０１及びケーブル１１４と同一であり、Ｒユニット１２は従来技術の歩行者用信号灯器１０のＲユニット１２と同一である。
【００４３】
Ｇユニット１０１は、歩く人型の図柄Ｇの裏側に配置される複数の青色のＬＥＤランプが発光することにより、歩く人型の図柄Ｇ（第１表示部）の青灯色を表示する。この歩く人型の図柄Ｇの両側には、図示縦方向にライン状に構成される８個の矩形状の図柄をそれぞれ含む表示部（第２表示部）Ｒ１１１，Ｒ１１２が設けられている。この表示部Ｒ１１１，Ｒ１１２の裏側に配置される複数の赤色のＬＥＤランプが発光することにより、Ｇユニット１０１は、通行禁止の待ち時間を赤灯色で表示する。
【００４４】
一方、Ｒユニット１２は、立ち止まった人型の図柄Ｒの裏側に配置される複数の赤色のＬＥＤランプが発光することにより、歩く人型の図柄Ｒの赤灯色を表示する。Ｒユニット１２には、通行許可の残り時間を表示する表示部Ｇ１１，Ｇ１２が設けられていない点が第１の実施形態と異なっている。
【００４５】
Ｇユニット１０１には、表示部Ｒ１１１，Ｒ１１２を制御する制御基板１０３が内蔵されている。Ｇユニット１０１の裏面に設けられるコネクタ１０６は、青灯色の表示を制御する表示信号Ｇを受信し、コネクタ１０７は赤灯色を表示する表示信号Ｒを受信する。また、Ｒユニット１２の裏面に設けられるコネクタ１４は、赤灯色を表示する表示信号ＲをＧユニット１０１の端子台１０５からケーブル１１４を介して受信する。
【００４６】
Ｇユニット１０１の制御基板１０３には、表示部Ｒ１１１，Ｒ１１２の矩形状の各図柄の赤灯色の表示／消灯の制御を行うＲ表示検知部１３２と制御部１３３が設けられている。なお、本実施形態では、Ｒユニット１２に表示部Ｇ１１，Ｇ１２が設けられていないため点灯信号を出力するためのコネクタを設ける必要はないが、表示部Ｇ１１，Ｇ１２の矩形状の各図柄の青灯色の表示／消灯の制御を行うコネクタ１０４が設けられている。
【００４７】
ケーブル１５の端子先のコネクタ１６，１７をそれぞれ、Ｇユニット１０１のコネクタ１０６，１０７に接続することにより、信号制御機からの青灯色の表示信号Ｇ、及び赤灯色の表示信号Ｒを端子台１８からＧユニット１０１に供給することができる。また、Ｒユニット１０１の内部でコネクタ１０７のＲと端子台１０５のＲ端子台が接続されているため、Ｇユニット１０１のコネクタ１０７に供給される赤灯色の表示信号Ｒは、コネクタ１０７から端子台１０５を経由し、端子台１０５に接続するケーブル１１４のコネクタ１１５を介して、Ｒユニット１２のコネクタ１４に供給される。
【００４８】
ここで、Ｒユニット１２のコネクタ１４から表示部Ｒ１１１，Ｒ１１２のＬＥＤランプの点灯を開始させる表示信号ＲＸが出力されない。そこで、Ｇユニット１０１の端子台１０５のＲ端子台とＲＸ端子台を電線の電線２０１で繋げることで、端子台１０５の表示信号ＲＸを供給する。このため、第１の実施形態のＧユニット１０１を流用することが可能になる。なお、電線２０１は電線に限られるものではなく、端子台１０５のＲ端子台とＲＸ端子台は、電気信号が流れるもので繋がれていればよく、例えば金属製の板でもよい。また、予め繋げることを想定して、接続を入り切りできるスイッチを設けてもよい。
【００４９】
このように構成されることにより、歩行者用信号灯器２００は、歩く人型の図柄Ｇ及び立ち止まった人型の図柄Ｒの表示を制御すると共に、立ち止まった人型の図柄Ｒを表示しているときは表示部Ｒ１１１，Ｒ１１２を制御して待ち時間を表示することができる。
【００５０】
以上のように構成された歩行者用信号灯器２００においては、Ｇユニット１０１が歩く人型の図柄Ｇと、待ち時間を表示する表示部Ｒ１１１，Ｒ１１２と、コネクタ１０６，１０７，１０４と、端子台１０５と、及び制御基板１０３と、Ｒユニット１２がコネクタ１４と、立ち止まった人型の図柄Ｒとを備え、さらにＧユニット１０１とＲユニット１２の各信号をやり取りするためのケーブル１１４を備えている。
【００５１】
このため、従来の歩行者用信号灯器（参照：図６）１０からＧユニット１０１のみ待ち時間表示機能を付けた歩行者用信号灯器への変更を容易かつ低コストで行うことができる。より詳細には、従来の経過時間付き歩行者用信号灯器（参照：図７）３０のように、歩行者用信号灯器１０そのものを取り換える必要がなく、Ｇユニット１０１が経過時間を表示する構成と歩行者用信号灯器ユニットとを一体化しているため、従来の歩行者用信号灯器１０の灯箱、端子台１８及びケーブル１５等を流用し、Ｇユニット１１を、Ｇユニット１０１に入れ替えるだけで、従来の歩行者用信号灯器１０を本実施形態のＧユニット１０１にのみ経過時間表示機能を付けた歩行者用信号灯器２００に変更することができる。
【００５２】
また、歩行者用信号灯器２００において、Ｇユニット１０１は、歩く人型の図柄Ｇを青灯色で表示したときに、表示部Ｒ１１１，Ｒ１１２は、通行禁止の待ち時間を表示する。ここで、一般に、立ち止まった人型の図柄Ｒが表示されているとき、つまり、赤信号のときにどれくらい待てば青信号に変わるのかを知りたいという要望は、歩く人型の図柄Ｇが表示されているとき、つまり、青信号のときに残りどれくらいで赤信号に変わるかを知りたいという要望より大きい。このため、コストも考慮すると、従来の歩行者用信号灯器１０からＧユニット１１のみを待ち時間（経過時間）機能を付けた歩行者用信号灯器に対するニーズがある。本実施形態の歩行者用信号灯器２００は、このようなニーズを満たすことができる。
【００５３】
なお、第２の実施形態では、Ｇユニット１０１が待ち時間（経過時間）を表示し、Ｒユニット１２が残り時間（経過時間）を表示しない構成について説明したが、これに限るものではなく、Ｇユニット１０１が待ち時間（経過時間）を表示せず、Ｒユニット１２が残り時間（経過時間）を表示する構成についても本発明を適用することができる。
この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。さらに、異なる実施形態の構成を組み合わせてもよい。
【符号の説明】
【００５４】
１０…歩行者用信号灯器、１３，１４，１６，１７…コネクタ、１５…ケーブル、１８…端子台、２１…主制御基板、３０…経過時間付き歩行者用信号灯器、１５０…灯箱、１５１…扉、１００，２００…経過時間付き歩行者用信号灯器、１１，１０１…Ｇユニット、１２，３２…Ｒユニット、１０３…制御基板、１０５…端子台、３４，４４，１０４，１０６，１０７…コネクタ、１１１，１１４…ケーブル、１１２，１１３，１１５…コネクタ
【図１】
2019200469.tif 000003
【図２】
2019200469.tif 000004
【図３】
2019200469.tif 000005
【図４】
2019200469.tif 000006
【図５】
2019200469.tif 000007
【図６】
2019200469.tif 000008
【図７】
2019200469.tif 000009
【図８】
2019200469.tif 000010